【手続補正書】
【提出日】平成18年9月7日(2006.9.7)
【手続補正１】
【補正対象書類名】明細書
【補正対象項目名】全文
【補正方法】変更
【補正の内容】
【書類名】      明細書
【発明の名称】  フレーム内に構造化された情報の伝送符号化乃至復号化用の方法及び装置
【特許請求の範囲】
【請求項１】  フレーム内に構造化されたデータの伝送符号化（チャネルコーディング：Ｋａｎａｌｃｏｄｉｅｒｕｎｇ）方法において、
−１フレーム内に、符号モードによりソース符号化されたデータビット（ｄｂ）を含んでおり、その際、符号モードは、多数の可能な符号モードから選択され、
−前記１フレーム内に、データビットの実際の符号モードの特徴を示すために少なくとも一つのモードビットを含んでおり、
−前記データビットの第１の部分（ｄｂ１）及び少なくとも前記モードビット（ｍｂ）を、実際の符号モードに依存せずに一様に伝送符号化することを特徴とする方法。
【請求項２】  実際の符号モードの選択を、伝送チャネルの質及び／又はネット負荷に適合させる請求項１記載の方法。
【請求項３】  モードビット（ｍｂ）が、シグナリング情報及び／又は受信質の記述用の情報を含むようにした請求項１又は２記載の方法。
【請求項４】  伝送符号化のために、畳込み符号を使用し、一様に伝送符号化されるデータビットの第１の部分を、畳込み符号の作用の長さ（Ｅｉｎｆｌｕｓｓｌａｅｎｇｅ）に依存して選定する請求項１から３迄の何れか１記載の方法。
【請求項５】  請求項１から４迄の何れか１記載の方法により符号化された、フレーム内に構造化されたデータの復号化方法において、
−少なくとも一つのモードビット（ｍｂ）の伝送復号化のために、伝送符号化されたデータビット（ｄｂ１）の第１の部分も使用することを特徴とする復号化方法。
【請求項６】  種々異なる符号モードの際に、データビット（ｄｂ１）の第１の部分を一様に伝送符号化する点についての認識を利用する請求項５記載の方法。
【請求項７】  各モードビット（ｍｂ）を一回だけ伝送復号化する請求項５又は６記載の方法。
【請求項８】  フレーム内に構造化されたデータの伝送符号化装置において、
１フレーム内に、符号モードによってソース符号化されたデータビット（ｄｂ）が含まれており、
その際、前記符号モードは、多数の可能な符号モードから選択されており、その際、１フレーム内に少なくとも一つのモードビット（ｍｂ）が、データビットの実際の符号モードの識別のために含まれており、
−前記データビットの第１の部分（ｄｂ１）及び少なくとも一つのモードビット（ｍｂ）を、実際の符号モードに依存せずに一様に伝送符号化することができるように装置構成されたプロセッサユニットを有している
ことを特徴とする伝送符号化装置。
【請求項９】  請求項１〜４迄の何れか１記載の方法により符号化された、フレーム内に構造化されたデータの復号化装置において、
−少なくとも１つのモードビット（ｍｂ）の伝送復号化のために、伝送符号化されたデータビット（ｄｂ１）の第１の部分も利用することを特徴とする復号化装置。
【発明の詳細な説明】
【０００１】
本発明は、フレーム内、例えば、適合的なマルチレート符号化のフレーム内に構造化された情報の伝送符号化（チャネルコーディング）乃至復号化用の方法及び装置に関する。
【０００２】
ソース信号乃至ソース情報、例えば、通話信号、音声信号、画像信号、及び、ビデオ信号は、殆ど常に統計的な冗長度、つまり、冗長情報を含んでいる。ソース符号化によって、この冗長度を、強く低減することができ、その結果、ソース信号を効率的に伝送乃至記憶することができる。この冗長度の低減により、伝送前に、例えば、信号経過特性の統計的なパラメータを予め検知しておくことに基づいて、冗長信号内容が除去される。ソース符号化された情報のビットレート（ソースビット又はデータビット）は、ソースビットレートとも呼ばれる。伝送後、ソース符号化の際、この成分が信号に再度付加され、その結果、実際上、質が損失されることはない。
【０００３】
他の側面では、通常のように、信号伝送時に、所期の冗長度が伝送符号化によって再度付加されて、チャネルの障害による伝送への影響を著しく除去することができる。付加的な冗長ビットによって、従って、受信機乃至復号器で、誤りを検出して、場合によっては補正することもできるようになる。伝送符号化された情報のビットレートは、グロス（Ｂｒｕｔｔｏ）ビットレートとも呼ばれる。
【０００４】
情報、例えば、通話データ、画像データ又は他の有効データを、伝送媒体、例えば、無線インターフェースの限定された伝送容量を用いて伝送するために、この伝送すべき情報が伝送前にソース符号化によって圧縮されて、伝送符号化によってチャネル誤りに対して保護される。そのために、各々種々異なった方法が公知である。例えば、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）では、通話がハーフレート通話コーデック又はエンハンスドフルレート通話コーデックのフルレート通話コーデックを用いて符号化することができる。ヨーロッパモービル無線標準ＧＳＭの発展領域で、符号化通話伝送用の新規な標準が開発されており、それによると、全データレート、並びに、チャネル状態及びネット条件（システム負荷）に応じて、データレートをソース及び／又は伝送符号化に適合的に調整することができる。その際、上述のような、固定のソースビットレートを有している通話コーデックの代わりに、ソースビットレートが可変であって、情報伝送の変化したフレーム条件に適合された新規な通話コーデックを使用することができる。その種のＡＭＲ（Ａｄａｐｔｉｖｅ  Ｍｕｌｔｉｒａｔｅ）通話コーデックの主目的は、種々異なるチャネル条件でも通話の固定ネット品質を達成し、所定のネットパラメータを考慮して、チャネルキャパシタンスが最適に分布されるようにすることができる。その際、通常用いられているソース符号化方法の実施後、圧縮された情報がフレーム内で構造化され、その際、ソースビットレートは、使用されている符号モードに応じてフレーム毎に異なることがある。一様なグロス（Ｂｒｕｔｔｏ）ビットレートを達成するために、１フレーム内に含まれている情報が、ソースビットレート乃至符号モードに応じて種々異なって、殊に、種々異なるレートで、伝送符号化され、その際、伝送符号化後のグロス（Ｂｒｕｔｔｏ）ビットレートが、選択されたチャネルモード（ハーフレート又はフルレート）に相応しているように符号化される。例えば、その種のＡＭＲ通話コーデックは、良好なチャネル条件及び／又は高い稼働率でフル運転している無線セルでハーフレート（ＨＲ）チャネルで作動することができる。劣悪なチャネル条件下でダイナミックにフルレート（ＦＲ）チャネルで交番されて、反転される。その種のチャネルモード（ハーフレート又はフルレート）内で、種々異なる符号モードが種々異なる通話及び伝送符号化レート用に用いられ、この通話及び伝送符号化レートは、同様にチャネルの質に相応して選択される（レート適合）。その際、グロス（Ｂｒｕｔｔｏ）ビットレートは、チャネルモード内で一定（フルレートＦＲの場合に２２．８Ｋｂｉｔ／ｓｅｃ．及び、ハーフレートチャネルＨＲの場合に１１．４Ｋｂｉｔ／ｓｅｃ．）のままである。従って、交番するチャネル条件を考慮して最良の通話の質にすることができる。その種の適合符号化の際、伝送区間のチャネル条件、所定のネットパラメータの要請、及び、通話に依存して、種々異なる符号モード（例えば、種々異なったレートを有している）による通話符号化が実行される（可変ソースビットレート：ｖａｒｉａｂｌｅ  Ｑｕｅｌｌｂｉｔｒａｔｅ）。グロス（Ｂｒｕｔｔｏ）ビットレートは、伝送符号化後一定のままであるので、伝送符号化時に、相応に適合化された可変数の誤り保護ビットが付加される。
【０００５】
通話コーデック又は符号化として、本件出願の範囲内では、ソース及び／又は伝送符号化を有していて、他のデータを通話データとして用いることができる符号化方法及び／又は相応の復号化方法を示す。
【０００６】
ヨーロッパモービル無線標準ＧＳＭの発展領域で、符号化通話伝送用の新規な標準が開発されており、それによると、全データレート、並びに、チャネル状態及びネット条件（システム負荷）に応じて、データレートをソース及び／又は伝送符号化に適合的に調整することができる。その際、上述のような、固定のソースビットレートを有している通話コーデックの代わりに、ソースビットレートが可変であって、情報伝送の変化したフレーム条件に適合された新規な通話コーデックを使用することができる。その種のＡＭＲ（Ａｄａｐｔｉｖｅ  Ｍｕｌｔｉｒａｔｅ）通話コーデックの主目的は、種々異なるチャネル条件でも通話の固定ネット品質を達成し、所定のネットパラメータを考慮して、チャネルキャパシタンスが最適に分布されるようにすることができる。
【０００７】
通常用いられているソース符号化方法の実施後、圧縮された情報がフレーム内で構造化される。ソースビットレートは、使用されている符号モードに応じてフレーム毎に異なることがあるので、１フレーム内に含まれている情報が、ソースビットレートに応じて種々異なって、殊に、種々異なるレートで、伝送符号化され、その際、伝送符号化後のグロス（Ｂｒｕｔｔｏ）ビットレートが、選択されたチャネルモード（ハーフレート又はフルレート）に相応しているように符号化される。例えば、その種のＡＭＲ通話コーデックは、良好なチャネル条件及び／又は高い稼働率でフル運転している無線セルでハーフレート（ＨＲ）チャネルで作動することができる。劣悪なチャネル条件下でダイナミックにフルレート（ＦＲ）チャネルで交番されて、反転される。
【０００８】
その種のチャネルモード（ハーフレート又はフルレート）内で、種々異なる符号モードが種々異なる通話及び伝送符号化レート用に用いられ、この通話及び伝送符号化レートは、同様にチャネルの質に相応して選択される（レート適合）。その際、グロス（Ｂｒｕｔｔｏ）ビットレートは、チャネルモード内で一定（フルレートＦＲの場合に２２．８Ｋｂｉｔ／ｓｅｃ．及び、ハーフレートチャネルＨＲの場合に１１．４Ｋｂｉｔ／ｓｅｃ．）のままである。従って、交番するチャネル条件を考慮して最良の通話の質にすることができる。
【０００９】
その種の適合符号化の際、伝送区間のチャネル条件、所定のネットパラメータの要請、及び、通話に依存して通話符号化のために種々異なるレートが使用される（可変ソースビットレート：ｖａｒｉａｂｌｅ  Ｑｕｅｌｌｂｉｔｒａｔｅ）。グロス（Ｂｒｕｔｔｏ）ビットレートは、伝送符号化後一定のままであるので、伝送符号化時に、相応に適合化された可変数の誤り保護ビットが付加される。
【００１０】
伝送後、その種の可変符号化された情報の復号化のために、送信側で使用された符号化方法、殊に、ソースビットレート及び／又は送信側で使用された伝送符号化の形式についての情報が受信側で分かっていると有益である。そのために、送信側で特定のビット、所謂モードビットが形成され、このモードビットにより、例えば、ソース又はチャネル符号化されるレートが示される。
【００１１】
このモードビットは、ソースビット（データビット）とは無関係にブロックコードで保護して伝送することが公知である。そうすることによって、先ず、この所謂モードビットを復号化することができ、更に、この第１の復号化の結果に依存してソースビットを求めることができる。この方法の欠点は、モードビットでは、誤り頻度が比較的高い点にあり、つまり、殊に、フェージングを受けたモービル無線チャネルでは、ブロック長が短いので、復号器の補正性能が小さいからである。
【００１２】
択一選択的に、複数ステップで復号化してもよい。そのために、先ず、第１の符号モードに相応して復号し、ＣＲＣ（巡回冗長検査：Ｃｙｃｌｉｃ  Ｒｅｄｕｎｄａｎｃｙ  Ｃｈｅｃｋ）を用いて、この符号モードが有意義であったかどうかを検出する。この符号モードが有意義ではなかった場合、別の符号モードに相応して復号化されて、その結果が新たに検査される。この方法は、有意義な結果が得られる迄、全ての符号モードで繰り返される。この方法の欠点は、高い計算コストにあり、それにより、高い電流消費、及び、復号化の遅延を生じる。米国特許第５５３７４１０号明細書から、フレーム内のレートを指示するための情報を伝送することが公知である。
【００１３】
従って、本発明が基づく課題は、符号化形式についての情報を簡単且つ高い信頼度で伝送することができる伝送符号化乃至復号化用の方法及び装置を提供することである。
【００１４】
本発明によると、この課題は、独立請求項の要件により解決される。本発明の有利な実施例は、従属請求項から得られる。
【００１５】
この課題の解決のために、本発明の方法によると、第１の情報の第１の部分、例えば、有効情報が、符号化の種々異なる形式で、この符号化の形式とは無関係に一様に伝送符号化される。
【００１６】
そうすることによって、第１の情報の符号化の記述用の第２の情報の復号化のために、第１の情報の第１の部分も利用することができ、従って、この第１の部分と結合された、第２の情報の符号化のために使用される畳込み符号のブロック長を拡張することによって、第２の情報を改善された質で誤り補正することができる。上述のトライアンドエラー方式により回避することもできる。
【００１７】
第１の情報の符号化の記述用の情報は、その際、ソース符号化及び／又は伝送符号化及び／又は他の、第１の情報の復号化の記述用の情報、例えば、符号化の形式（第１の情報のソース及び／又は伝送符号化）又は符号化のレート（ソース及び／又は第１の情報の伝送符号化）を有している。
【００１８】
殊に、情報の符号化を適合的に種々異なる形式で行うことができる場合、本発明を有利に使用することができる。
【００１９】
本発明の構成では、第１の情報の少なくとも１つの第２の部分、例えば、有効情報の伝送符号化のレートが、伝送チャネルの質及び／又はネット負荷に適合される。つまり、伝送符号化を、通信システムの変化するフレーム条件に適合させて、この送信側の適合状態を簡単且つ高い信頼度で受信側に伝送することができる。
【００２０】
別の実施例では、第２の情報が信号化情報及び／又は受信の質を記述するための情報を有していて、実際の受信結果に依存して送信側に作用することができるようになる。つまり、調整ループの方式についての情報の伝送を制御することができる。
【００２１】
伝送符号化のために、畳込み符号を使用すると有利であり、一様に伝送符号化される第１の情報の第１の部分の長さを、少なくともほぼ、使用される畳込み符号の作用長に適合させることができる。
【００２２】
更に、前述の課題は、第２の情報の復号化のために、第１の情報の第１の部分も使用される、フレーム内に構造化された情報の復号化方法によって解決される。これにより、第２の情報を充分な大きさのブロック長で符号化伝送することができ、上述のようなトライアンドエラー方式によるコスト高な多重復号化を回避することができる。
【００２３】
殊に、情報伝送のフレーム内で情報が送信側で上述の各方法の１つにより符号化されると、そのようにして行われる復号化は有利である。
【００２４】
前述の課題は、更に、第１の情報の第１の部分を、種々異なる形式の符号化の際、当該符号化の形式に依存せずに統一的に伝送符号化することができ、乃至、第２の情報の復号化のために、第１の情報の第１の部分も利用可能であるように装置構成された各々１つのデジタル信号プロセッサで、フレーム内に構造化された情報の伝送符号化乃至復号化装置により解決される。この装置構成は、殊に、本発明の方法、又は、本発明の前述の実施例の実施に適している。
【００２５】
以下、本発明について図示の実施例を用いて詳細に説明する。その際、殊に、情報のデジタル伝送について説明する。しかし、本発明は、情報の蓄積用にも使用可能であり、つまり、情報を記憶媒体に書き込んだり、情報を記憶媒体から読み出したりするのは、本発明では、情報を送信したり、情報を受信したりすることに相応している。
【００２６】
その際、
図１は、モービル無線システムの原理図、
図２は、情報技術による伝送連鎖の主要要素を略示した図、
図３は、適合化された符号化スキーマの略図、
図４は、フルレートチャネルでの、適合化された符号化スキーマの略図、
図５は、ハーフレートチャネルでの、適合化された符号化スキーマの略図、
図６は、プロセッサユニットの原理図
である。
【００２７】
図１に図示したモービル無線システムは、その構造が公知のＧＳＭモービル無線システムに相応しており、このＧＳＭモービル無線システムは、多数のモービル交換局ＭＳＣから構成されており、この多数のモービル交換局ＭＳＣは、相互にネットワーク接続されており、乃至、固定ネットＰＳＴＮへのアクセスを形成する。更に、このモービル交換局ＭＳＣは、各々少なくとも１つの基地局コントローラＢＳＣに接続されており、この基地局コントローラは、データ処理システムによって形成してもよい。各基地局コントローラＢＳＣには、少なくとも１つの基地局ＢＳが接続されている。そのような基地局ＢＳは、無線インターフェースを介して無線装置、所謂モービル局ＭＳへの無線コネクションを形成することができる。
【００２８】
基地局の信号の到達範囲は、実質的に無線セルＦＺを定義する。無線セル及び無線セルによって伝送すべきデータパケットへの周波数帯域のような、資源の割当は、例えば、基地局コントローラＢＳＣのような制御装置によって制御することができる。基地局ＢＳ及び基地局コントローラＢＳＣは、１つの基地局システムＢＳＳに纏めることができる。
【００２９】
その際、基地局システムＢＳＳは、無線チャネル管理、データレート適合、無線伝送区間の監視、ハンドオーバープロシージャ、コネクション制御及び場合によっては使用すべき音声コーデックの割当乃至シグナリング用に用いることができ、場合によっては、モービル局ＭＳへの相応のシグナリング情報を伝送することができる。その種のシグナリング情報の伝送は、シグナリングチャネルを介して行うことができる。
【００３０】
ここでの説明に基づいて、本発明を、他の情報、例えば、情報の種類（データ、音声、画像、等）のシグナリング及び／又はその符号化、任意の伝送方式、例えば、ＵＭＴＳ（Ｕｎｉｖｅｒｓａｌ  Ｍｏｂｉｌｅ  Ｔｅｌｅｐｈｏｎｙ  Ｓｙｓｔｅｍ）内でのＤＥＣＴ、ＷＢ−ＣＤＭＡ又はマルチモード伝送方式（ＧＳＭ／ＷＢ−ＣＤＭＡ／ＴＤ−ＣＤＭＡ）への切換情報のシグナリングのためにも、使用することができる。
【００３１】
図２に示されているソースＱは、ソース信号ｑｓを形成し、このソース信号は、ソースエンコーダＱＥ、例えば、ＧＳＭフルレート音声符号器によって、各シンボルから形成されたシンボル列になるように圧縮される。パラメータを用いたソース符号化方式では、ソースＱによって形成されたソース信号ｑｓ（例えば、音声）は、各ブロックに分割され（例えば、時間フレーム）、各ブロックが別個に処理される。ソースエンコーダＱＥは、量子化されたパラメータ（例えば、音声係数）を形成し、このパラメータは、以下、シンボル列のシンボルとも呼ばれ、実際のブロック内のソースの特性は、所定のように反映される（例えば、音声のスペクトル、フィルタパラメータ）。このシンボルは、量子化後所定のシンボル値を有する。
【００３２】
シンボル列のシンボル乃至相応のシンボル値は、屡々ソース符号化ＱＥの部分として記述される２進写像（対応規則）によって、各々複数ビット桁を有する２進符号語のシーケンスに写像される。この２進符号語が、例えば、順次連続して２進符号語の列として処理される場合、１フレーム構造内に埋め込むことができるソース符号化されたビット桁のシーケンスが形成される。
【００３３】
ここでは説明しない方法を用いて、例えば、電話通話信号の元のレート（６４ｋｂｉｔ／ｓ  μｌａｗ、１０４ｋｂｉｔ／ｓ  リニアＰＣＭ）が明らかに低減される（およそ５ｋｂｉｔ／ｓ−１３ｋｂｉｔ／ｓ、符号化方式に依存して）。このビット流での誤りは、復号化後の通話の質に種々に作用する。多数ビットに誤りがあると、理解できなくなったり、又は、大きなノイズを生じたりするが、他のビットに誤りがあっても殆ど知覚されない。この結果、ソースコーダに応じて各ビットが各クラスに区分され、この各クラスは、大抵、種々に誤りに対して保護される（例えば：ＧＳＭフルレートコーデック：クラス１ａ，１ｂ及び２）。そのように実行されたソースコーディング後、ソースビット又はデータビットｄｂは、ソースコーディングの形式に依存するソースビットレートで構造化されてフレーム内に形成される。
【００３４】
モービル無線システムでは、続いて行われる伝送符号化のために、畳込み符号が効率的な符号であることが分かる。これは、大きなブロック長の場合に、大きな誤り補正能力と測定された復号器の複雑性とを有している。次に、例えば、レート１／ｎの畳込み符号だけが処理される。メモリ記憶ｍの畳込み符号は、最後のｍ＋１データビットのビットからなるレジスタを介して、ｎ符号ビットが形成される。
【００３５】
上述のように、通話コーディング時のビットがクラスに区分され、種々に誤りに対して保護される。これは、畳込み符号化では、種々のレートで行われる。１／２以上のレートは、パンクチャ（Ｐｕｎｋｔｉｅｒｕｎｇ）によって達成される。
【００３６】
ヨーロッパでのモービル無線システム用の標準化グループ（ＥＴＳＩ）では、目下、既存のＧＳＭ用の新規な通話−及び伝送符号化が標準化されている。その際、種々異なる符号モードによる通話は種々異なるレートでソース符号化され、伝送符号化は相応に適合化され、その結果、チャネルコーダＣＥで、例えば、畳込み符号器で、ソース符号化されたビットシーケンスがチャネルノイズを受けないように符号化され、その際、Ｂｒｕｔｔｏビットレートは、更に２２．８ｋｂｉｔ／ｓ（フルレートモード）乃至１１．４ｋｂｉｔ／ｓ（ハーフレートモード）である。実際のソースビットレートは、その際、通話（ポーズ、歯擦音、母音、有声音、無声音、等）に依存して、チャネル条件（良好な、劣悪なチャネル）又はネット条件（過負荷、コンパチビリティなど）に依存して変えられる。伝送符号化は、相応に適合される。実際に使用されるレート（例えば、実際の符号モードによって）及び／又は別の情報は、同じフレーム内でモードビットｍｂとして伝送される。
【００３７】
図３に示されているように、階層符号化を考慮して、使用されている全てのソースビットレート乃至通話符号化レート乃至符号モードに対して、データビットｄｂ１の第１の部分が同様に符号化される。この第１の部分ｄｂ１は、約５・ｍの第１のソースビットにすることができる。チャネル復号器ＱＤでは、その際、この第１の部分用のトレリスが形成され、先ず、モードヒットが決定乃至復号化される。このモードビットｍｂから、実際の通話レート乃至実際の符号モードが求められ、このレート乃至この符号モード用に利用される復号化方式に相応してデータビットｄｂ２の第２の部分も復号化される。
【００３８】
データビットｄｂ１の第１の部分又は他の部分は、モードビットｍｂと一緒にソース符号化の形式とは無関係に一様に伝送符号化することができ、即ち、実際の符号モードとは無関係に、データビットｄｂ１の第１の部分が、モードビットｍｂと一緒にチャネル符号化され、同様に、すべての符号モードに対して一様な方式によりチャネル符号化される。
【００３９】
これについて、以下、図３を用いて簡単な例で説明する：
ソース符号化方法は、種々異なる２つの符号モードにより、１４０データビットｄｂ（場合１）乃至１００データビットｄｂ（場合２）の長さのフレーム又はブロックを形成する。同じフレーム内で付加的に伝送されるモードビットｍｂによって、両ブロック長の内のどちらがソースエンコーダＱＥから丁度生成されているか指示される。伝送符号化後、両方の場合に、長さ３０３ビットのフレームが生成され、その結果、必然的に、両方の場合に対して、少なくともレートに関して異なった伝送符号方式となる。両方の場合に、データビットｄｂ１の第１の部分に、例えば、用いられた畳込み符号、用いられた生成器多項式又は用いられたメモリ記憶のレート（レート１／３）に関して一様に２０ビットを伝送符号化することができ、データビットｄｂ２の１２０（場合１）乃至８０（場合２）の第２の部分での伝送符号化の際に、種々異なったレート（場合１に対して、レート１／２；場合２に対して１／３ビット）を用いることによって、３０３ビットの一体的なフレーム長に適合することができる。
【００４０】
本発明の変形実施例では、単数乃至複数のモードビットが、データビットｄｂ１の第１の部分と一緒に両方の場合に一様に、例えば、用いられた畳込み符号のレートで、用いられた生成器多項式(Generatorpolynome)又は用いられたメモリ記憶のレート（１／３）に関して、伝送符号化、例えば、畳込み符号化される。
【００４１】
復号化時に、畳込み復号器のトレリスは、畳込み復号器の第１の２１ビット（１モードビットｍｂ＋２０第１データビットｄｂ１）に対して形成することができ、その際、符号化の際にどの程度のデータブロック長が使用されるのかは分からない。この長さに亘ってトレリスが形成されると、第１のビット（モードビットｍｂ）を求めることができる。その際、符号の作用長が考慮され、従って、誤り率は、この第１のモードビット用だけでトレリスを形成する場合よりも明らかに少ない。このモードビットを特定した後、使用されるブロック長も分かり、それに依存して、データビットｄｂ２の第２の部分がレート１／２乃至１／３で復号化される。
【００４２】
この復号化の複雑性は、従って、１つのモードだけの復号化に較べて大して高くない。劣悪なチャネルの場合、誤り率をチャネル誤り率以下に保持するために、組織畳込み符号を使用することができる。しかし、良好なチャネルで非常に良好な補正特性を達成するために、再帰的符号を使用することができる。その際、誤り率は、良好なチャネルの場合、非組織的非再帰的畳込み符号（従来技術のＧＳＭ）の場合よりも高い。このような場合は、しかし、１０−４の誤り率以下の場合に初めて生じる。この領域内では、生起した誤りを検出して隠すことができる；つまり、通話の質は、損なわれない。
【００４３】
以下、ハーフレートチャネル用のスキーマ及びフルレートチャネル用のスキーマについて紹介する。
【００４４】
図４には、フルレートチャネル（ＦＲ）用のスキーマが図示されており：通話符号化によって、１３．３ｋｂｉｔ／ｓ（符号モード１）、９．５ｋｂｉｔ／ｓ（符号モード２）、８．１ｋｂｉｔ／ｓ（符号モード３）及び６．３ｋｂｉｔ／ｓ（符号モード４）で、４つの種々異なるレートが生成される。符号化は、２０ｍｓの持続期間のフレームまたはブロックで行われる。付加的に、符号モード２での畳込み符号化の前に、４ビットでのＣＲＣが付加され、符号モード３及び４で、各々３ビットの各２つのＣＲＣが付加される。その結果、２６６ビットｄｂ（符号モード１）、１９９ビットｄｂ（符号モード２）、１６８ビットｄｂ（符号モード３）及び１３２ビットｄｂ（符号モード４）のブロック長となる。実際のモードを一緒に伝達して、更に信号化情報を伝送するために、３モードビットが各ブロック又はフレームの始めにセットされる。符号化のために、レート１／２及び１／３の再帰的組織畳込み符号が使用される。レート１／４及び１／５は、ビットの繰り返しによって形成され、パンクチャによって比較的高いレートが形成される。更に、４つの全ての符号モードに対して、モードビットｍｂ及びデータビットｄｂ１の第１の部分が、常に、レート１／３乃至１／４で伝送符号化される。
【００４５】
図５には、ハーフレートチャネル（ＨＲ）用のスキーマが示されており：つまり、既述の、モードビット及び第１のデータビットの同一符号化の原理が実施される。そこでは、符号モード３（８．１ｋｂｉｔ／ｓ）及び４（６．３ｋｂｉｔ／ｓ）だけが利用され、チャネル符号化によって１１．４ｂｉｔ／ｓに補完される。少ない符号モードが利用されるので、ハーフレートチャネルで２モードビットで十分である。フルレートコーデックの場合と同様の畳み込み符号器が利用されるが、しかし、これはターミネートされない。
【００４６】
図２に示されているように、ソース符号化に適合された伝送符号化された、このビット列ｘ又は符号ビットは、図示されていないモジュレータで更に処理され、続いて、伝送区間ＣＨを介して伝送される。伝送時に、例えば、フェージング又はノイズのような障害が発生する。
【００４７】
伝送区間ＣＨは、送信局と受信局との間に位置している。受信局は、場合によっては、伝送区間ＣＨを介して伝送される信号の受信のために図示されていないアンテナを有しており、サンプリング装置、信号の復調用の復調器及びシンボル間障害の除去用等化器を有している。この装置は、同様に簡単化の理由から図１には図示されていない。可能なインタリービング及びデインタリービングも図示されていない。
【００４８】
等化器は、受信列ｙの受信値を送出する。受信値は、伝送区間ＣＨを介しての伝送時の障害に基づいて、”＋１”及び”−１”とは異なっている値を有している。
【００４９】
チャネル符号器ＣＤ内で、チャネル符号化がキャンセルされる。有利には、ビタービアルゴリズムの畳み込み符号の復号のために利用される。
【００５０】
畳み込み符号のメモリｍに依存して、作用長は、復号化時に約５・ｍである。従って、一般的に、この作用長に至る迄、符号中の誤りを補正することができる。復号化すべきブロック内の距離が更に大きい符号ビットによって、実際の情報ビットは補正されない。
【００５１】
復号器の第１のビットのできる限り僅かな誤り率を達成するために、復号器のトレリスが約５・ｍの距離のデータビットに至る迄形成される。続いて、第１のビットについての判定がなされる。種々異なったソース符号化レートのシステムの場合、一般的に、第１の５・ｍビットのソース符号化も種々異なっている。つまり、このビット用のソース復号化も種々異なっており、従って、用いられたソース符号器のレート乃至使用された符号モードに依存して種々異なって復号化される必要がある。
【００５２】
チャネル復号化ＣＤが行なわれた後、受信側のモードビットｍｂ及びデータビットｄｂが生じ、ソース復号化ＱＤが、受信されたソース信号ｑｓで行われ、このソース信号は、情報シンクＳに出力される。
【００５３】
本発明の変形実施例で、モードビットを用いて他の情報、例えば、制御又はシグナリング情報も伝送することができ、例えば、チャネル状態信号又はシグナリング情報（戻りチャネル）への応答、用いられた符号化又は適用すべき復号化又は他の情報（第１の情報の復号化のために使用することができる）である。
【００５４】
図６には、プロセッサユニットＰＥは、殊に、通信装置、例えば、基地局ＢＳ又はモービル局ＭＳを有することができる。プロセッサユニットＰＥは、実質的にプログラム制御型マイクロコントローラから構成されている制御装置ＳＴＥ、及び、プロセッサ、殊に、デジタル信号プロセッサから構成された処理装置ＶＥを有しており、これら両者は、メモリモジュールＳＰＥに書き込み及び読み出すようにアクセスすることができる。
【００５５】
マイクロコントローラは、無線ユニットの主要要素及び機能を制御及びコントロールし、この無線ユニットは、プロセッサユニットＰＥを有する。デジタル信号プロセッサ、デジタル信号プロセッサの一部分又は特定のプロセッサは、符号化乃至復号化を実施するために使用することができる。通話コーデックの選択は、マイクロコントローラ又はデジタル信号プロセッサ自体によって行ってもよい。
【００５６】
有効データ又は制御データを例えば操作ユニットＭＭＩ（キー及び／又はディスプレイを含むことができる）に入力／出力するのに使用することができる。
【図面の簡単な説明】
【図１】
モービル無線システムの原理図
【図２】
情報技術による伝送連鎖の主要要素を略示した図
【図３】
適合化された符号化スキーマの略図
【図４】
フルレートチャネルでの、適合化された符号化スキーマの略図
【図５】
ハーフレートチャネルでの、適合化された符号化スキーマの略図
【図６】
プロセッサユニットの原理図